(57)【特許請求の範囲】
【請求項１】
キャビネット(２)上に上下回動自在に蓋体(４)を配備し、蓋体(４)は回動移行路を含む面内にて閉じ姿勢でキャビネット(２)から突出した前進位置と、キャビネット(２)内に収納された後退位置の間を移動可能に設けられ、キャビネット(２)と蓋体(４)との間には、後退位置にある蓋体(４)の開き動作を防ぐロック機構が設けられた電気機器に於いて、
蓋体(４)の内側にはキャビネット(２)に枢支(31)された支持部材(３)が配備され、蓋体(４)は該支持部材(３)上を前後移動可能に設けられ、
蓋体(４)と支持部材(３)との間に設けられて、蓋体(４)の開き状態にて蓋体(４)又は支持部材(３)を係止し、蓋体(４)が枢支部(31)に接近する向きへ移動することを規制するスライド防止機構と、
蓋体(４)又はキャビネット(２)上に設けられて、蓋体(４)の閉じ状態にてスライド防止機構の蓋体(４)又は支持部材(３)への係止を解除し、蓋体(４)が枢支部(31)に接近する向きへ移動することを許す解除機構とを具えたことを特徴とする電気機器。
【請求項２】
蓋体(４)の内側には、支持部材(３)に係合して後退位置にある蓋体(４)の不用意な前進を防ぐロックレバー(５)が設けられ、該ロックレバー(５)には蓋体(４)から露出して使用者に押圧操作される操作釦(51)が設けられ、該操作釦(51)の押圧操作によりロックレバー(５)の支持部材(３)への係止が解除される請求項１に記載の電気機器。
【請求項３】
ロックレバー(５)とスライド防止機構は、蓋体(４)に取り付けられたスライド板(55)上に一体に設けられた請求項２に記載の電気機器。
【請求項４】
スライド防止機構は一端部が蓋体(４)に取り付けられて弾性変形可能な規制片(65)であり、解除機構はキャビネット(２)から上向きに突出して蓋体(４)が閉じ状態で先端が規制片(65)に接する解除片(15)又は爪片(12)である請求項１又は３に記載の電気機器。
【発明の詳細な説明】
【０００１】
【発明の属する技術分野】
本発明は、蓋体を具えた電気機器、特に乾電池を収容するケースの開口を覆う蓋体を具えた電気機器に関する。
【０００２】
【従来の技術】
図２０(a)、(b)は、従来の電気機器の側面断面図である。キャビネット(２)の側部は一段下がって電池ケース(１)を形成し、該電池ケース(１)には、複数本の乾電池(９)(９)が縦向きに挿入される。該電池ケース(１)の開口は蓋体(４)にて覆われる。乾電池(９)(９)は、電池ケース(１)内に設けられた圧縮バネ(90)により上向きに付勢される。
蓋体(４)の基端部から側方へ突出した枢軸(31)が、キャビネット(２)の側部に開設された長孔(29)に嵌まって、蓋体(４)は電池ケース(１)上を水平移動と回動可能に設けられている。以下の記載にて、蓋体(４)がキャビネット(２)から外側に突出する向きを前方、キャビネット(２)へ引込む向きを後方とする。
【０００３】
蓋体(４)の裏面には、乾電池(９)の極に接する端子板(６)が設けられ、蓋体(４)の自由端部には鉤片(40)が設けられている。電池ケース(１)には、蓋体(４)の閉じ位置にて鉤片(40)に係合する爪片(12)が立設している。該係合により蓋体(４)はキャビネット(２)にロックされ、乾電池(９)(９)がバネ(90)付勢されて、端子板(６)及び蓋体(４)を押し上げても、蓋体(４)がキャビネット(２)から外れることを防ぐ。
【０００４】
蓋体(４)を開くには、図２０(b)に示すように、先ず長孔(29)に沿って蓋体(４)を前進させ、鉤片(40)と爪片(12)との係止状態を解除する。次に、蓋体(４)を枢軸(31)を中心として上向きに回動させれば、乾電池(９)(９)を挿入する開口が露出する。
蓋体(４)を閉じて鉤片(40)と爪片(12)を係合させるには、前進した蓋体(４)を枢軸(31)を中心として下降回動させ、鉤片(40)を爪片(12)の前方に対向させる。蓋体(４)を長孔(29)に沿って後退させると、図２０(a)に示すように、鉤片(40)と爪片(12)が係合して、蓋体(４)がキャビネット(２)にロックされる。
【０００５】
【発明が解決しようとする課題】
従来の電気機器では、前進して開いた蓋体(４)を開き状態のまま後退させることは可能である。しかし、後退した蓋体(４)を閉じようとしても、鉤片(40)が爪片(12)の上端に当たり、蓋体(４)をキャビネット(２)にロックすることができない。また、蓋体(４)を強く閉じると、鉤片(40)が爪片(12)に衝突して爪片(12)を破損させる虞れもある。即ち、蓋体(４)のロック機構を構成する部材が互いに衝突して、閉じ状態の蓋体(４)がロックされない虞れがある。
出願人は、この点に鑑みて、開いた状態にある蓋体(４)は後退ができないようにすれば、爪片(12)を破損させる虞れを防止できることを着想した。
本発明の目的は、閉じ状態に下降した蓋体を前進位置から後退させてキャビネットにロックする電気機器に於いて、蓋体を閉じ状態にて正確にロックさせることにある。
【０００６】
【課題を解決する為の手段】
キャビネット(２)と蓋体(４)との間には、後退位置にある蓋体(４)の開き動作を防ぐロック機構が設けられている。蓋体(４)の内側には枢支部(31)を中心に回動する支持部材(３)が配備され、蓋体(４)は該支持部材(３)上を前後移動可能に設けられている。
電気機器は、
蓋体(４)と支持部材(３)との間に設けられて、蓋体(４)の開き状態にて蓋体(４)又は支持部材(３)を係止し、蓋体(４)が枢支部(31)に接近する向きへ後退することを規制するスライド防止機構と、
蓋体(４)又はキャビネット(２)上に設けられて、蓋体(４)の閉じ状態にてスライド防止機構の蓋体(４)又は支持部材(３)への係止を解除し、蓋体(４)が枢支部(31)に接近する向きへ後退することを許す解除機構とを具えている。
【０００７】
【作用及び効果】
閉じた蓋体を開くとき
蓋体(４)が後退位置にあるとき、ロック機構は蓋体(４)とキャビネット(２)とを係合させ、蓋体(４)の開き方向の回動を防ぐ。蓋体(４)を開くには、蓋体(４)を枢支部(31)から離れる向きに移動、即ち前進させて蓋体(４)のロックを解除する。蓋体(４)は枢支部(31)を中心に上向き回動する。
開いた蓋体を閉じるとき
蓋体(４)が開いた状態では、スライド防止機構が蓋体(４)又は支持部材(３)を係止し、蓋体(４)が枢支部(31)に接近する向きへ移動することを規制する。即ち、開き状態の蓋体(４)は後退できないから、蓋体(４)を閉じ方向に回動させても、蓋体(４)のロック機構を構成する部材が互いに衝突する虞れはない。
閉じ状態に下降した蓋体をロックするとき
前進位置にある蓋体(４)の閉じ状態にて、解除機構はスライド防止機構が蓋体(４)又は支持部材(３)を係止している状態を解除している。蓋体(４)は支持部材(３)上を後退でき、蓋体(４)は再びロックされる。
従って、蓋体(４)は開いたままの状態で不用意に後退することはないから、蓋体(４)を閉じ方向に回動させても、蓋体(４)のロック機構を構成する部材が互いに衝突する虞れはない。また、蓋体(４)の後退位置にて、蓋体(４)は正しくロックされ、蓋体(４)は不用意に開くことはない。
【０００８】
【発明の実施の形態】
第１実施例
(全体構成)
以下、本発明の一例を図を用いて詳述する。
図１は、キャビネット(２)の斜視図であり、上下逆にして示す。本例に関わる電気機器はデジタルスチルカメラに関し、キャビネット(２)の背面には、撮像した画像を表示する液晶パネル(25)と、使用者が被写体を看る覗き窓(26)が設けられている。
キャビネット(２)の側部は、一段下がって電池ケース(１)を形成し、該電池ケース(１)には蓋体(４)が被さる。蓋体(４)の内側には端子板(６)を兼ねる支持部材(３)が配備されている。
電池ケース(１)の上面には、保持片(30)が取り付けられており、該保持片(30)は支持部材(３)が回動自在に嵌まる枢軸(31)を支えている。蓋体(４)は、支持部材(３)の回動移行路を含む面内にて、該支持部材(３)上を前後移動可能に設けられる。
【０００９】
キャビネット(２)上にて蓋体(４)の後方には、長手方向を前後に向けた覆い板(８)が係脱可能に設けられ、該覆い板(８)はキャビネット(２)内の水平軸(20)を中心に回動する。蓋体(４)と覆い板(８)の回動移行路は互いに直交する。覆い板(８)は後記するようにメモリカード(７)が挿入される大開口(21)を覆い、覆い板(８)の近傍に設けられたスライド部材(80)の操作によりキャビネット(２)との係合が解除される。
【００１０】
蓋体(４)は、電池ケース(１)に開設された電池収納開口(10)に被さり、該電池収納開口(10)は１本の乾電池が縦向きに挿入される小開口(11)(11)を２つ連ねて形成される。２本の乾電池は互いに正負極を逆にして電池収納開口(10)に挿入される。蓋体(４)の自由端部には鉤片(40)が設けられ、電池ケース(１)の上面にて鉤片(40)に対応する位置には爪片(12)が立設している。鉤片(40)は蓋体(４)の自由端部から板片を内向きに突出して構成され、爪片(12)は電池ケース(１)の上面から突出した立板(12a)の上端から横板(12b)を前方に突出して構成される(図７(a)、(b)参照)。
図１の電池ケース(１)は、合成樹脂の射出成形にて形成され、該電池ケース(１)の上面周縁部からは、電池ケース(１)と一体に設けられた解除片(15)が上向きに突出している。
蓋体(４)は前進位置にて開閉方向に回動し、下向き回動した蓋体(４)が前進位置から後退すると、鉤片(40)が爪片(12)の横板(12b)の下側に嵌まる。これにより、蓋体(４)がロックされる。また、乾電池交換時には、後記のロックレバー(５)を押して、蓋体(４)を前進させて開く。本例にあっては、後記の如く、開き状態の蓋体(４)が不用意に後退しない点に特徴がある。
【００１１】
前記端子板(６)には乾電池の極が接し、該端子板(６)上にて乾電池の負極が接する箇所に小筒(60)が、正極が接する箇所に円錐状突起(61)が夫々突出している。端子板(６)の裏側からは、絶縁体にて形成された誤挿入防止突起(45)が小筒(60)に嵌まり、該誤挿入防止突起(45)は先端が小筒(60)の先端面と略同一面内に位置する。
図５は、蓋体(４)を閉じた電池ケース(１)を図１のＡ方向から見た断面図であり、右側の乾電池(９)が誤挿入された状態を示す。電池収納開口(10)の各小開口(11)の底部には、乾電池(９)を上向きに付勢する圧縮バネ(90)が設けられている。右側の乾電池(９)を誤って正極を上にして挿入したときは、誤挿入防止突起(45)と乾電池(９)の正極が接する。正極は、誤挿入防止突起(45)により端子板(６)との当接が妨げられるから、端子板(６)には電流は流れず、装置に通電されない。これにより、乾電池(９)の誤挿入が判る。
【００１２】
(蓋体の詳細)
図２は、蓋体(４)の裏面図であり、図３は、同上の分解斜視図である。小筒(60)と円錐状突起(61)との間には、透窓(32)が開設されている。
図２及び図３に示すように、前記支持部材(３)には、スライド板(55)が被さり、該スライド板(55)は蓋体(４)に取り付けられて、蓋体(４)とともに移動する。スライド板(55)の中央部には、開口を前方に向けた切欠き(56)が開設され、該切欠き(56)内にスライド板(55)と一体に設けられたロックレバー(５)が配備される。ロックレバー(５)は基端部がスライド板(55)に繋がり、該ロックレバー(５)は後記するように支持部材(３)に対して係脱可能に設けられる。
【００１３】
図３に示すように、スライド板(55)にはロックレバー(５)を挟んで、前後に延びた２つの長孔(57)(58)が開設され、一方の長孔(57)に前記小筒(60)が、他方の長孔(58)に円錐状突起(61)が下から嵌まる。蓋体(４)は両長孔(57)(58)に前後移動を案内される。蓋体(４)の裏面には、合成樹脂製の挟持片(46)と、金属板を折曲して構成された規制片(65)とが取り付けられる。前記誤挿入防止突起(45)は挟持片(46)上から突出し、支持部材(３)の小筒(60)に嵌まる。
規制片(65)は先端部に弾性変形可能な撓み片(66)を形成し、該撓み片(66)の先端は蓋体(４)が開いた状態で支持部材(３)に接して、スライド板(55)及び蓋体(４)が枢軸(31)に向かって後退することを防ぐ。
【００１４】
図４は、図３のスライド板(55)をＣ−Ｃ線で破断した断面図である。ロックレバー(５)は先端部に係止突起(50)を設け、該係止突起(50)は透窓(32)(図３参照)の端縁に引掛かる。ロックレバー(５)の下端部からは操作釦(51)が突出し、使用者が操作釦(51)を押すと係止突起(50)と透窓(32)の端縁との係合が解除される。後記するように、蓋体(４)はロックレバー(５)により不用意な前進を規制され、規制片(65)により開き状態にて枢軸(31)に向って後退移動することが規制される。
【００１５】
(蓋体の前進と後退)
後退位置
図６(a)、(b)は蓋体(４)及びキャビネット(２)の平面図であり、(a)は後退位置を、(b)は前進位置を夫々示す。また、図７(a)、(b)は図６(a)、(b)を夫々Ｂ−Ｂ線で破断した断面図である。図７(a)に示すように、蓋体(４)には貫通孔(42)が開設され、ロックレバー(５)の操作釦(51)は該貫通孔(42)を通って上端面が蓋体(４)の上面と略同一面内に位置する。また、後退位置にある蓋体(４)は閉じ状態でロックレバー(５)の係止突起(50)が透窓(32)の端縁を前記の如く係止している。ロックレバー(５)を有するスライド板(55)は蓋体(４)に取り付けられており、係止突起(50)が支持部材(３)を係止することにより蓋体(４)は不用意な前進が規制される。蓋体(４)の鉤片(40)は、キャビネット(２)の爪片(12)に引掛っており、蓋体(４)は開かない。
【００１６】
前進動作
蓋体(４)を前進させるには、ロックレバー(５)の操作釦(51)を下向きに押して、ロックレバー(５)の先端部を撓み変形させる。図７(b)に示すように、係止突起(50)が支持部材(３)から離れ、蓋体(４)は前進可能になる。蓋体(４)が支持部材(３)上を前進すると、鉤片(40)が爪片(12)から離れ、蓋体(４)を開くことができる。
【００１７】
(蓋体の開閉動作)
開き状態から閉じ動作
図８(a)、(b)は、夫々蓋体(４)の開き状態と閉じ状態の断面図であり、規制片(65)と支持部材(３)の位置関係を示す。前記の如く、蓋体(４)は前進位置にて開閉可能であり、図８(a)に示すように、蓋体(４)が開いている状態では、規制片(65)の先端が支持部材(３)に接する。規制片(65)は蓋体(４)に取り付けられているから、蓋体(４)及びスライド板(55)は枢軸(31)に向ってスライドすることは規制されている。
即ち、蓋体(４)は開いていると後退できないから、開き状態の蓋体(４)を閉じても鉤片(40)が爪片(12)に衝突する虞れはない。
【００１８】
閉じ状態
図８(b)に示すように、蓋体(４)が閉じた状態では、解除片(15)の上端が規制片(65)に接して規制片(65)を上向きに撓み変形させる。規制片(65)の先端と支持部材(３)の当接が外れ、蓋体(４)は解除片(15)に接しながら後退可能になる。
蓋体(４)とともにロックレバー(５)も後退し、図７(b)に示す係止突起(50)が支持部材(３)に接しながら後退し、図７(a)の位置に戻る。
尚、後退位置から蓋体(４)を前進させて開くときには、上記とは逆の動作を行う。
【００１９】
本例に係わる装置にあっては、前進位置でしか開閉できない蓋体(４)が開き状態のまま不用意に後退することはなく、蓋体(４)の閉じ動作時に鉤片(40)と爪片(12)が衝突することはない。
乾電池交換時には、蓋体(４)を一旦前進させて開き、乾電池を取り出す。新たな乾電池を電池ケース(１)に挿入した後に蓋体(４)を閉じて後退位置に戻す。この際に鉤片(40)又は爪片(12)は損傷せず、乾電池交換時の作業性がよくなる。
また、ロックレバー(５)により閉じ状態の蓋体(４)が不用意に前進することは規制され、使用者が電気機器を使用中に電池ケース(１)内の乾電池が脱落する虞れを防止できる。
【００２０】
(覆い板の詳細)
図９(a)、(b)は、覆い板(８)の夫々開閉状態を示す背面断面図であり、図１０は、図９(a)をＤ方向から見た側面断面図である。覆い板(８)は、前記電池収納開口(10)と同じ方向を向いた大開口(21)に被さり、該大開口(21)内にはカードホルダ(70)が設けられている。該カードホルダ(70)には、画像データを格納するメモリカード(７)が挿入される。メモリカード(７)は一端部に複数の端子(71)(71)を設け、カードホルダ(70)内のソケット(図示せず)が端子(71)(71)に電気的に接して、メモリカード(７)との間でデータを入出力する周知の構成である。
覆い板(８)は、前記水平軸(20)に嵌められたネジリバネ(86)により開き方向に付勢され、自由端部に係止爪(83)を設けている。キャビネット(２)上にて大開口(21)の近傍には左右に延びた長孔(22)が開設され、該長孔(22)に左向きにバネ(82)付勢されたスライド部材(80)が嵌まっている。該スライド部材(80)には、引掛かり片(81)が設けられ、覆い板(８)の閉じ状態にて係止爪(83)が引掛かり片(81)に係止する。
【００２１】
覆い板の閉じ動作
係止爪(83)には斜面(84)が形成され、図９(a)に示すように、開いた覆い板(８)をネジリバネ(86)に抗して閉じ方向に回動させると、斜面(84)が引掛かり片(81)に接する。斜面(84)はバネ(82)付勢に抗して、引掛かり片(81)を右向きに押す。斜面(84)が引掛かり片(81)を通過すると、引掛かり片(81)はバネ(82)によって戻され、係止爪(83)が引掛かり片(81)を係止する。覆い板(８)は閉じ状態を保つ。
覆い板の開き動作
覆い板(８)を開くには、図９(b)に示す状態から、スライド部材(80)を手で右向きに移動させる。係止爪(83)と引掛かり片(81)の係合が外れ、覆い板(８)はネジリバネ(86)により水平軸(20)を中心に開き方向に回動する。大開口(21)が露出し、カードホルダ(70)からメモリカード(７)を取り出すことができる。
【００２２】
(覆い板の開き防止)
図１１は、蓋体(４)の開き状態を示す斜視図であり、キャビネット(２)を上下逆にしている。蓋体(４)は開き状態で支持部材(３)の後端部が覆い板(８)上に接近し、これにより覆い板(８)が開くことを規制する。
蓋体(４)の開き状態で、覆い板(８)を開くことができると以下の問題がある。乾電池を交換するときには蓋体(４)を開くが、このときに使用者の指が誤ってスライド部材(80)に当たって、該スライド部材(80)を係止爪(83)から外れる方向に動かす虞れがある。使用者が電池ケース(１)から乾電池を取り出すときにはキャビネット(２)を図１１に示す状態から上下逆にするが、スライド部材(80)を誤って移動させた為に覆い板(８)が開き可能になっていると、大開口(21)からメモリカード(７)が落下する虞れがある。メモリカード(７)は一般に衝撃に弱く、落下時の衝撃により損傷して記録内容が再生できない虞れがある。
然るに、本例に係わる装置にあっては、蓋体(４)が開いていれば、覆い板(８)は開かないから、使用者が蓋体(４)を開いて電池ケース(１)から乾電池を取り出すときに、たとえ指がスライド部材(80)に当たっても大開口(21)からメモリカード(７)が落下する虞れはない。
尚、覆い板(８)の枢支部(20)を図１１のＥ部に設けて、両蓋体(４)(８)が同一面内を回動し、蓋体(４)の基端部にて覆い板(８)の自由端部を押さえる構成も考えられる。然るに、出願人は以下の如く、覆い板(８)にて蓋体(４)の開き防止を行うことも考えており、この点から覆い板(８)の枢支部(20)を図１１のＥ部に設ける構成を採用していない。
【００２３】
(蓋体の開き防止)
図６(a)に点線で示すように、蓋体(４)に切欠き(41)を設け、覆い板(８)の左端部に該切欠き(41)に嵌まる突片(85)を設ける。突片(85)は水平軸(20)よりも覆い板(８)の自由端部側に位置する。これにより、覆い板(８)は開き状態で蓋体(４)が開くことを規制することができる。
具体的には、図１２に示すように、覆い板(８)が開いている状態では、突片(85)の下端が前進位置にある蓋体(４)の後端部上面に接近して、蓋体(４)の開き方向の回動を規制する。
覆い板(８)を開くときはメモリカード(７)を挿脱するときであるが、該カード(７)挿脱時に乾電池からの給電のＯＮ、ＯＦＦが切り替わると、カード(７)内のデータを破壊する虞れがある。即ち、カード(７)挿脱時には、乾電池からの通電状態はＯＮ又はＯＦＦを保つ必要があり、カード(７)挿脱時には乾電池が挿脱されることを防止する必要がある。従って、覆い板(８)を開いてカード(７)を挿脱するときには、蓋体(４)の開き方向の回動を規制するのが望ましい。
【００２４】
本例にあっては、キャビネット(２)に枢軸(31)を設けているが、蓋体(４)に設けてもよい。また、蓋体(４)に鉤片(40)を、キャビネット(２)に爪片(12)を設けているが、これを逆にしてもよい。
更に、図１３に示すように、規制片(65)を支持部材(３)上に取り付けて、蓋体(４)から内向きに突板(47)を突出させる。蓋体(４)の開き状態にて規制片(65)を突板(47)の先端に当接させ、蓋体(４)の閉じ状態で規制片(65)を解除片(15)により撓み変形させて、蓋体(４)からの当接を解除させてもよい。
【００２５】
第２実施例
図１４は、蓋体(４)の他の例を示す斜視図であり、上下を逆にして底面を上向けて示す。本例にあっては、規制片(65)とロックレバー(５)とがスライド板(55)上に一体に設けられた点に特徴がある。また、端子板(６)は支持部材(３)とは別個に設けられて金属板から形成され、小筒(60)と円錐状突起(61)を具えている。更に、規制片(65)の解除動作には、爪片(12)を用いる。
蓋体(４)の裏側には、受け板(100)とスライド板(55)と支持部材(３)が重なって設けられる。受け板(100)は絶縁性の合成樹脂から形成され、誤挿入防止突起(45)を設けている。支持部材(３)は電池ケース(１)上に枢支(31)されており、受け板(100)は支持部材(３)に取り付けられる。スライド板(55)は蓋体(４)に取り付けられ、蓋体(４)とともにスライドする。
【００２６】
図１５は、受け板(100)を省いた蓋体(４)の裏面図である。スライド板(55)は合成樹脂から形成されて、前記ロックレバー(５)と該ロックレバー(５)の側方に位置する規制片(65)を一体に設ける。ロックレバー(５)は係止突起(50)と操作釦(51)を具える(図１７参照)。規制片(65)は弾性変形可能であり、蓋体(４)の開き状態でスライド板(55)の端部(100a)(図１９(a)参照)に接する。これにより、蓋体(４)及びスライド板(55)は枢支部(31)への後退スライドを規制される。
【００２７】
図１６は、蓋体(４)、受け板(100)、スライド板(55)、支持部材(３)の分解裏面図である。支持部材(３)は金属板を折曲して形成され、ロックレバー(５)の係止突起(50)が嵌まる透窓(32)及び操作釦(51)が余裕を持って嵌まる透孔(33)が開設されている。操作釦(51)は該透孔(33)及び蓋体(４)に開設された貫通孔(42)を通って蓋体(４)の外側に突出する。
支持部材(３)に開設されたネジ貫通孔(34)(34)が受け板(100)に設けられたボス(110)(110)に重なって、受け板(100)は支持部材(３)にビス止めされる。また、スライド板(55)に開設された挿入穴(59)(59)が蓋体(４)裏面上のボス(43)(43)にビス止めされる。
スライド板(55)上にて、ロックレバー(５)の側方には、長孔(57)(58)が開設されている。受け板(100)上からは軸体(120)が突出し、軸体(120)及び一方のボス(110)がスライド板(55)上の長孔(57)(58)に嵌まってスライド板(55)の移動を案内する。
図１８は、規制片(65)を図１６のＥ方向から見た側面断面図である。規制片(65)は垂直面(65a)と該垂直面(65a)の先端から蓋体(４)のロック解除方向に沿って斜め下向きに延びた斜面(65b)とを具え、垂直面(65a)が受け板(100)の端部(100a)に当接して、蓋体(４)のスライドを規制する。
【００２８】
(蓋体の開閉動作)
蓋体(４)が閉じた状態では、第１実施例と同様に、係止突起(50)が透窓(32)の周縁に引掛かり、スライド板(55)及び蓋体(４)の前進を規制している。蓋体(４)を開く動作は、第１実施例と同一であり、詳細な記載を省く。
開き状態
図１９(a)、(b)は、蓋体(４)の開閉状態を図１５のＦ−Ｆ線を含む面にて破断した側面断面図である。蓋体(４)が開いた状態では、蓋体(４)は前進しており、規制片(65)は受け板(100)の端部(100a)に接して後退を規制されている。
【００２９】
閉じ状態
蓋体(４)を閉じると、規制片(65)が爪片(12)の上端に接して上向きに撓み変形する。規制片(65)の垂直面(65a)と受け板(100)の端部(100a)との当接が外れて、蓋体(４)及びスライド板(55)は後退可能になる。
尚、図１９(b)に示すように、受け板(100)の端部(100a)に一段凹んだ段部(100b)を設け、蓋体(４)の後退位置にて、段部(100b)に規制片(65)の斜面(65b)を嵌めてもよい。
本例にあっては、規制片(65)とロックレバー(５)とをスライド板(55)上に一体に設けている。これにより、構成部品の削減が図れ、構成が簡素になる。
【００３０】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】キャビネットの斜視図であり、上下を逆にして底面を上向けて示す。
【図２】蓋体の裏面図である。
【図３】蓋体の分解斜視図である。
【図４】図３のスライド板をＣ−Ｃ線で破断した断面図である。
【図５】蓋体を閉じたキャビネットを図１のＡ方向から見た断面図である。
【図６】蓋体及びキャビネットの平面図であり、(a)は後退位置を、(b)は前進位置を夫々示す。
【図７】(a)、(b)は夫々図６(a)、(b)をＢ−Ｂ線で破断した断面図である。
【図８】(a)は蓋体の開き状態の断面図、(b)は同上の閉じ状態の断面図である。
【図９】(a)は覆い板の開き状態の背面断面図、(b)は同上の閉じ状態を示す背面断面図である。
【図１０】図９(a)をＤ方向から見た側面断面図である。
【図１１】蓋体の開き状態を示す斜視図である。
【図１２】覆い板の開き状態を示す斜視図である。
【図１３】蓋体の他の実施例を示す断面図である。
【図１４】蓋体の他の実施例を示す斜視図であ
【図１５】受け板を省いた蓋体の裏面図である。
【図１６】蓋体、受け板、スライド板、支持部材の分解裏面図である。
【図１７】ロックレバーの側面断面図である。
【図１８】規制片を図１６のＥ方向から見た側面断面図である。
【図１９】(a)、(b)は、蓋体の開閉状態を図１５のＦ−Ｆ線を含む面にて破断した側面断面図であり、(a)は開いた状態を、(b)は閉じた状態を夫々示す。
【図２０】従来の電気機器の側面断面図であり、(a)は蓋体の後退位置を、(b)は蓋体の前進位置を示す。
【符号の説明】
(２)  キャビネット
(３)  支持部材
(４)  蓋体
(５)  ロックレバー
(８)  覆い板
(12)  爪片
(31)  枢軸
(40)  鉤片
(51)  操作釦
(55)  スライド板
【図１】
0003802306.tif 000002
【図２】
0003802306.tif 000003
【図３】
0003802306.tif 000004
【図４】
0003802306.tif 000005
【図５】
0003802306.tif 000006
【図６】
0003802306.tif 000007
【図７】
0003802306.tif 000008
【図８】
0003802306.tif 000009
【図９】
0003802306.tif 000010
【図１０】
0003802306.tif 000011
【図１１】
0003802306.tif 000012
【図１２】
0003802306.tif 000013
【図１３】
0003802306.tif 000014
【図１４】
0003802306.tif 000015
【図１５】
0003802306.tif 000016
【図１６】
0003802306.tif 000017
【図１７】
0003802306.tif 000018
【図１８】
0003802306.tif 000019
【図１９】
0003802306.tif 000020
【図２０】
0003802306.tif 000021